(57)【要約】      （修正有）【課題】握力の小さい者であっても差すことができ、かつ、テーブルや机等の被係止部材に容易に係止させることができる傘の柄及び傘を提供する。【解決手段】傘の柄部１０は、略直線棒状に形成された第１棒状部１２と、第１棒状部１２と略平行に設けられ、略直線棒状に形成された第２棒状部１６と、第１棒状部１２の下端と第２棒状部１６の下端とを連結する湾曲部１４と、第２棒状部１６の上端と、第１棒状部１２の側面とを連結する第２連結部１８と、を有する。第１棒状部１２と湾曲部１４と第２棒状部１６と連結部１８とにより形成される開口部２２内に親指を除く指を挿通して人差し指を連結部１８の下面に接触させて第１棒状部１２を握り、親指を第１棒状部１２における第２棒状部１６とは反対側の側面に接触させることにより傘の柄を支持するように構成されている。【選択図】図４
0003154775.tif 000002
【実用新案登録請求の範囲】
【請求項１】
傘の柄であって、
傘の軸棒を挿入するための穴部を端部に有し、略直線棒状に形成された第１棒状部と、
第１棒状部と間隔を介して第１棒状部と略平行に設けられ、略直線棒状に形成された第２棒状部と、
第１棒状部の下端と第２棒状部の下端とを連結する第１連結部と、
第２棒状部の上端と、第１棒状部の側面とを連結する第２連結部と、
を有し、
第１棒状部と第１連結部と第２棒状部と第２連結部とにより形成される開口部内に一方の手における親指を除く指を挿通して人差し指を第２連結部の下面に接触させて第１棒状部を握り、親指を第１棒状部における第２棒状部とは反対側の側面に接触させることにより傘の柄を支持することを特徴とする傘の柄。
【請求項２】
第２連結部が、第１棒状部の側面から伸びた略直線棒状の第３棒状部と、該棒状部の端部と第２棒状部の端部とを接続する湾曲した棒状の湾曲部と、を有することを特徴とする請求項１に記載の傘の柄。
【請求項３】
第２連結部における該第３棒状部の第２棒状部側が、第１連結部の方向に対する直角方向に対して第１連結部側とは反対側に傾斜して形成されていることを特徴とする請求項２に記載の傘の柄。
【請求項４】
傘の柄であって、
傘の軸棒を挿入するための穴部を端部に有し、略直線棒状に形成された第１棒状部と、
第１棒状部と間隔を介して第１棒状部と略平行に設けられ、略直線棒状に形成された第２棒状部と、
第１棒状部の下端と第２棒状部の下端とを連結する第１連結部と、
第２棒状部の上端と、第１棒状部の側面とを連結する第２連結部で、第１棒状部の側面から伸びた略直線棒状の第３棒状部と、該第３棒状部の端部と第２棒状部の端部とを接続する湾曲した棒状の湾曲部と、を有し、該第３棒状部の第２棒状部側が、第１連結部の方向に対する直角方向に対して第１連結部側とは反対側に傾斜して形成された第２連結部と、
を有し、
第１棒状部と第１連結部と第２棒状部と第２連結部とにより形成される開口部内に一方の手における親指を除く指を挿通して人差し指を第２連結部における第３棒状部の下面に接触させて第１棒状部を握り、親指を第１棒状部における第２棒状部とは反対側の側面に接触させることにより傘の柄を支持することを特徴とする傘の柄。
【請求項５】
第２連結部における第３棒状部と第１棒状部とがなす角度が、７５度〜８５度であることを特徴とする請求項３又は４に記載の傘の柄。
【請求項６】
第１棒状部と第１連結部と第２連結部は、断面形状が略円形に形成され、第２棒状部は、断面形状が四角形状の四角柱状部と、四角柱状部の両端から連設された断面形状が略円形の円柱状部とを有することを特徴とする請求項１又は２又は３又は４又は５に記載の傘の柄。
【請求項７】
傘であって、請求項１又は２又は３又は４又は５又は６に記載の傘の柄を有することを特徴とする傘。
【考案の詳細な説明】
【技術分野】
【０００１】
本考案は、傘に関するものであり、特に、傘の柄に関するものである。
【背景技術】
【０００２】
従来より、雨傘や日傘等の傘の柄は、略Ｕ字状をしているのが一般的である。すなわち、従来における傘の柄１１０は、図１０に示すように、棒状部１１２と、棒状部１１２の端部から連設された湾曲部１１４とを有し、湾曲部１１４は、半円状の円弧状に湾曲した形状の棒状部材となっている。
【０００３】
また、出願人は、先行技術文献として、特許文献１に示す文献を知得している。この特許文献１においては、握柄に凹部が設けられ、前記凹部は、当該傘の先端部が地につけられ、当該傘の軸柄が鉛直に保持された状態において、天に向けて開放されている傘であって、握柄は、ハート型の閉ループに形成された棒部材からなり、前記凹部は、前記状態において、前記閉ループの天に近い上側の湾曲部に形成されているものが開示されている。
【先行技術文献】
【特許文献】
【０００４】
【特許文献１】実用新案登録第３０８０６１４号公報
【考案の概要】
【考案が解決しようとする課題】
【０００５】
しかし、図１０に示す従来からの傘の柄においては、傘を差す場合に棒状部１１２を片手でしっかりと握る必要があり、棒状部１１２をしっかり握る握力がない老人、病人の場合には、傘を差すことができないという問題があった。
【０００６】
また、図１０に示す従来の傘において、閉じた状態の傘における傘の柄を上側にして、傘の柄の湾曲部１１４の先端をテーブルや机等の被係止部材に係止させる場合があるが、湾曲部１１４の先端から石突きまでの長さが長いために、被係止部材に傘を係止させることができないという問題があった。
【０００７】
なお、特許文献１に記載の傘で、握柄がハート型の閉ループに形成された傘においても、該傘を差すには、握柄の直線部４３ａ、４３ｂの箇所を強く握る必要があり、握力の小さい者は該傘を差すことができない。
【０００８】
そこで、本考案は、握力の小さい者（例えば、老人や病人）であっても差すことができ、かつ、テーブルや机等の被係止部材に容易に係止させることができる傘の柄及び傘を提供することを目的とするものである。
【課題を解決するための手段】
【０００９】
本考案は上記問題点を解決するために創作されたものであって、第１には、傘の柄であって、傘の軸棒を挿入するための穴部を端部に有し、略直線棒状に形成された第１棒状部と、第１棒状部と間隔を介して第１棒状部と略平行に設けられ、略直線棒状に形成された第２棒状部と、第１棒状部の下端と第２棒状部の下端とを連結する第１連結部と、第２棒状部の上端と、第１棒状部の側面とを連結する第２連結部と、を有し、第１棒状部と第１連結部と第２棒状部と第２連結部とにより形成される開口部内に一方の手における親指を除く指を挿通して人差し指を第２連結部の下面に接触させて第１棒状部を握り、親指を第１棒状部における第２棒状部とは反対側の側面に接触させることにより傘の柄を支持することを特徴とする。
【００１０】
第１の構成の傘の柄は、雨傘や日傘等の傘の柄に使用する。傘を差す場合には、第１棒状部と第１連結部と第２棒状部と第２連結部とにより形成される開口部内に親指を除く指を挿通して人差し指を第２連結部の下面に接触させて第１棒状部を握り、親指を第１棒状部における第２棒状部とは反対側の側面に接触させることにより傘の柄を支持する。すると、傘の柄を強く握らなくても、人差し指により第２連結部の下面を支持し、親指で第１棒状部を支持しているので、全ての指で軽く握る程度で傘の柄を手で支持することができる。つまり、親指で第１棒状部の側面を押さえることにより傘の柄が傾こうとする力を第２連結部を支える人差し指で支えるので、残りの３つの指（中指と薬指と小指）で第１棒状部を軽く握って傘の柄全体がぐらつかないようにするのみで傘の柄を支持することができる。また、人差し指で第２連結部の下面を支持しているので、軽く握っても傘の柄が手から落下することがない。
【００１１】
本考案の傘の柄を使用した傘を該傘の柄をテーブル等の被係止部材に係止する場合には、第２連結部が台部の上面に接して傘の柄が係止するが、第２連結部が接するので、傘の柄の台部に係止する位置から石突きの長さを従来の傘に比べて短くすることができ、テーブルや机に容易に係止することができる。
【００１２】
また、第２には、上記第１の構成において、第２連結部が、第１棒状部の側面から伸びた略直線棒状の第３棒状部と、該棒状部の端部と第２棒状部の端部とを接続する湾曲した棒状の湾曲部と、を有することを特徴とする。よって、第２連結部が、第１棒状部の側面から伸びた略直線棒状の第３棒状部を有するので、傘の柄を手で支持する際に、人差し指で該棒状部の下面を支持しやすくなる。
【００１３】
また、第３には、上記第２の構成において、第２連結部における該第３棒状部の第２棒状部側が、第１連結部の方向に対する直角方向に対して第１連結部側とは反対側に傾斜して形成されていることを特徴とする。よって、傘の柄を有する傘の先端（石突き側の先端）が被係止部材側に近接して傘が垂直方向に対して傾斜した場合でも、第２連結部の第３棒状部の下面において第１棒状部側が第１棒状部側と反対側よりも高くなる状態を維持して、傘の柄を被係止部材の上面にしっかり係止させておくことができる。
【００１４】
また、第４には、傘の柄であって、傘の軸棒を挿入するための穴部を端部に有し、略直線棒状に形成された第１棒状部と、第１棒状部と間隔を介して第１棒状部と略平行に設けられ、略直線棒状に形成された第２棒状部と、第１棒状部の下端と第２棒状部の下端とを連結する第１連結部と、第２棒状部の上端と、第１棒状部の側面とを連結する第２連結部で、第１棒状部の側面から伸びた略直線棒状の第３棒状部と、該第３棒状部の端部と第２棒状部の端部とを接続する湾曲した棒状の湾曲部と、を有し、該第３棒状部の第２棒状部側が、第１連結部の方向に対する直角方向に対して第１連結部側とは反対側に傾斜して形成された第２連結部と、を有し、第１棒状部と第１連結部と第２棒状部と第２連結部とにより形成される開口部内に一方の手における親指を除く指を挿通して人差し指を第２連結部における第３棒状部の下面に接触させて第１棒状部を握り、親指を第１棒状部における第２棒状部とは反対側の側面に接触させることにより傘の柄を支持することを特徴とする。
【００１５】
第４の構成の傘の柄は、雨傘や日傘等の傘の柄に使用する。傘を差す場合には、第１棒状部と第１連結部と第２棒状部と第２連結部とにより形成される開口部内に親指を除く指を挿通して人差し指を第２連結部の第３棒状部の下面に接触させて第１棒状部を握り、親指を第１棒状部における第２棒状部とは反対側の側面に接触させることにより傘の柄を支持する。すると、傘の柄を強く握らなくても、人差し指により第２連結部の第３棒状部の下面を支持し、親指で第１棒状部を支持しているので、全ての指で軽く握る程度で傘の柄を手で支持することができる。つまり、親指で第１棒状部の側面を押さえることにより傘の柄が傾こうとする力を第２連結部を支える人差し指で支えるので、残りの３つの指（中指と薬指と小指）で第１棒状部を軽く握って傘の柄全体がぐらつかないようにするのみで傘の柄を支持することができる。また、人差し指で第２連結部の下面を支持しているので、軽く握っても傘の柄が手から落下することがない。
【００１６】
また、第２連結部が、第１棒状部の側面から伸びた略直線棒状の第３棒状部を有するので、傘の柄を手で支持する際に、人差し指で該棒状部の下面を支持しやすくなる。
【００１７】
また、第３棒状部の第２棒状部側が、第１連結部の方向に対する直角方向に対して第１連結部側とは反対側に傾斜して形成されているので、傘の柄を有する傘の先端（石突き側の先端）が被係止部材側に近接して傘が垂直方向に対して傾斜した場合でも、第２連結部の第３棒状部の下面において第１棒状部側が第１棒状部側と反対側よりも高くなる状態を維持して、傘の柄を被係止部材の上面にしっかり係止させておくことができる。
【００１８】
また、第５には、上記第３又は第４の構成において、第２連結部における第３棒状部と第１棒状部とがなす角度が、７５度〜８５度であることを特徴とする。
【００１９】
また、第６には、前記第１から第５までのいずれかの構成において、第１棒状部と第１連結部と第２連結部は、断面形状が略円形に形成され、第２棒状部は、断面形状が四角形状の四角柱状部と、四角柱状部の両端から連設された断面形状が略円形の円柱状部とを有することを特徴とする。
【００２０】
また、第７には、傘であって、上記第１又は第２又は第３又は第４又は第５又は第６の構成の傘の柄を有することを特徴とする。
【００２１】
なお、上記各構成において、第１連結部が、半円状の円弧状に形成した棒状部材であることを特徴とするものとしてもよい。
【考案の効果】
【００２２】
本考案に基づく傘の柄及び傘によれば、傘の柄を強く握らなくても、人差し指により第２連結部の下面を支持し、親指で第１棒状部を支持しているので、全ての指で軽く握る程度で傘の柄を手で支持することができる。つまり、親指で第１棒状部の側面を押さえることにより傘の柄が傾こうとする力を第２連結部を支える人差し指で支えるので、残りの３つの指（中指と薬指と小指）で第１棒状部を軽く握って傘の柄全体がぐらつかないようにするのみで傘の柄を支持することができる。また、人差し指で第２連結部の下面を支持しているので、軽く握っても傘の柄が手から落下することがない。
【００２３】
本考案の傘の柄を使用した傘を該傘の柄をテーブル等の被係止部材に係止する場合には、第２連結部が台部の上面に接して傘の柄が係止するが、第２連結部が接するので、傘の柄の台部に係止する位置から石突きの長さを従来の傘に比べて短くすることができ、テーブルや机に容易に係止することができる。
【図面の簡単な説明】
【００２４】
【図１】傘を開いた状態の正面図である。
【図２】傘における柄部の前方斜視図である。
【図３】傘における柄部の後方斜視図である。
【図４】傘における柄部の正面図である。
【図５】傘における柄部の右側面図である。
【図６】図５のＢ−Ｂ断面図である。
【図７】図４のＡ−Ａ断面図である。
【図８】傘の使用状態を示す説明図である。
【図９】傘の使用状態を示す説明図である。
【図１０】従来の傘の例を示す要部正面図である。
【考案を実施するための形態】
【００２５】
本考案においては、握力の小さい者（例えば、老人や病人）であっても差すことができ、かつ、テーブルや机に容易に係止させることができる傘の柄及び傘を提供するという目的を以下のようにして実現した。
【００２６】
なお、図面において、Ｙ１−Ｙ２方向は、Ｘ１−Ｘ２方向に直角な方向であり、Ｚ１−Ｚ２方向は、Ｘ１−Ｘ２方向及びＹ１−Ｙ２方向に直角な方向である。
【００２７】
本考案に基づく傘５は、図１に示すように、柄部（傘の柄）１０と、柄部１０に接続された棒状の軸棒（傘軸）３０と、軸棒３０の先端に設けられた石突き４０と、軸棒３０の石突き４０側の端部から放射状に形成された傘骨（主骨）（図示せず）と、傘骨に張設された生地５０とを有している。なお、傘５は、雨傘や日傘等傘であれば任意である。
【００２８】
柄部１０は、図１〜図４等に示すように、閉ループ状に形成され、第１棒状部１２と、湾曲部（第１連結部）１４と、第２棒状部１６と、連結部（第２連結部）１８と、突出部２０とを有している。
【００２９】
第１棒状部１２は、略円柱状の棒状（直線棒状）を呈し、その上端（石突き４０側の端部）には、軸棒３０の下端部分を挿入するための穴部１２ａが第１棒状部１２の軸線に沿って形成されている。つまり、第１棒状部１２は真っ直ぐな棒状を呈し、第１棒状部１２の長手方向は、図面におけるＺ１−Ｚ２方向となっている。
【００３０】
また、湾曲部１４は、第１棒状部１２の下端から連設され、湾曲した棒状を呈している。つまり、湾曲部１４は、断面が略円状の棒状部材を半円状の円弧状に形成した形状となっている。この湾曲部１４の径は、第１棒状部１２の径と略同一となっていて、第１棒状部１２の外面と湾曲部１４の外面とは連続面に形成されている。
【００３１】
また、第２棒状部１６は、湾曲部１４の端部（第１棒状部１２側とは反対側の端部）から連設され、第１棒状部材１２と略平行（平行でもよい）に形成されている。この第２棒状部材１６は、棒状（直線棒状）を呈し、真っ直ぐな棒状を呈していて、四角柱状部１６ａと、四角柱状部１６ａの下端に連設された円柱状部１６ｂと、四角柱状部１６ａの上端に連設された円柱状部１６ｃとを有した構成となっている。すなわち、第２棒状部１６は、その上下方向の大部分の領域が四角柱状に形成され、その上側と下側に円柱状部分が連設された形状となっている。
【００３２】
また、四角柱状部１６ａの径（相対する面同士の間隔）ｈ１（図４参照）と、円柱状部１６ｂ、１６ｃの径とは略同一に形成されていて、四角柱状部１６ａと円柱状部１６ｂ、１６ｃの境界位置では、四角柱状部１６ａの角部が円柱状部１６ｂ、１６ｃから突出した形状となっている。
【００３３】
また、円柱状部１６ｂの径は、湾曲部１４の径と略同一となっていて、湾曲部１４の外面と円柱状部１６ｂの外面とは連続面に形成されている。
【００３４】
なお、第２棒状部１６における四角柱状部１６ａの各面は平面状に形成されるので、氏名等を記入するのに便利となっている。
【００３５】
また、連結部１８は、第１棒状部１２の途中位置の側面と第２棒状部１６の上端とを連結して形成され、略円柱状の棒状（直線棒状）の棒状部（第３棒状部）１８ａと、略円弧状に湾曲した（屈曲したとしてもよい）湾曲部（屈曲部としてもよい）１８ｂとを有している。
【００３６】
ここで、棒状部１８ａは、真っ直ぐな棒状を呈し、第１棒状部１２の上端よりもやや下側の位置の側面（周面としてもよい）から横方向（厳密には、斜め上方）に形成され、第１棒状部１２の上端部分と棒状部１８ａがなす角度α（図４参照）は、７５〜８５度（好適には、８０度）となっている。連結部１８における棒状部１８ａの第２棒状部１６側が、第１連結部の長手方向（Ｚ１−Ｚ２方向）に対する直角方向（Ｘ１−Ｘ２方向）に対して湾曲部１４側とは反対側（つまり、Ｚ２側）に傾斜して形成されている
また、湾曲部１８ｂは、棒状部１８ａの第１棒状部１２側とは反対側の端部と第２棒状部１６間に形成され、略円弧状に湾曲した棒状形状を呈している。この湾曲部１８ｂがなす円弧は、湾曲部１４がなす円弧よりも小さい径に形成されている。
【００３７】
棒状部１８ａの断面と、湾曲部１８ｂの断面と、円柱状部１６ｂの断面とは、ともに、略同一径の略円形を呈し、棒状部１８ａの外面と湾曲部１８ｂの外面と円柱状部１６ｃの外面は連続面を形成している。
【００３８】
また、突出部２０は、湾曲部１４の第１棒状部１２側の側面から下面にかけた位置から突出して形成された略三角形状の板状部材であり、柄部１０を正面視した場合に、突出部２０の左側面側の辺部２０−１は、第１棒状部１２の辺部の延長線上にあり、底面側の辺部２０−２は、湾曲部１４の下端に対する接線となっている。また、この突出部２０には、円形の挿通穴２０ａが形成されている。
【００３９】
また、傘５において、連結部１８と石突き４０間の長さ（つまり、連結部１８と石突き４０の最短長さ）Ｊ（図１参照）は、６３〜６５ｃｍに形成され、全体の長さ、つまり、湾曲部１４から石突き４０までの長さＫは、８２〜８４ｃｍに形成されている。なお、長さＪと長さＫは任意であるが、後述するように、長さＪは７０ｃｍ未満であることが好ましい。
【００４０】
以上のようにして、柄部１０は、第１棒状部１２と湾曲部１４と第２棒状部１６と連結部１８とにより閉ループ状に形成され、柄部１０の内側には細長形状（略細長長方形状）の開口部２２が形成されている。この開口部２２は、親指を除く４本の指を挿通可能な大きさに形成され、特に、第１棒状部１２と第２棒状部１６間の隙間の長さ（つまり、開口部２２の横方向の長さ）ｈ２は、３〜４ｃｍ（好適には３５〜３７ｍｍ）に形成され、また、開口部２２の横方向の中央における縦方向の長さｈ３は、１０〜１２ｃｍに形成されていて、人間の指が入る程度の長さに形成されている。この柄部１０は、全体に一体に形成され、全体に合成樹脂により形成されている。
【００４１】
なお、第１棒状部１２や第２棒状部１６や棒状部１８ａは、直線棒状であるとしたが、第１棒状部１２は親指を除く指で内側を握るのに支障がない形状であれば、略直線棒状であればよく、また、棒状部１８ａは、人差し指でその下面を支持するのに支障がない形状であれば、略直線棒状であればよく、また、第２棒状部１６も略直線棒状であればよい。
【００４２】
上記構成の柄部１０を有する傘５の使用状態について説明する。傘５を差して使用する際には、図８に示すように、柄部１０の開口部２２内に一方の手における人差し指ｆ２と中指ｆ３と薬指ｆ４と小指ｆ５とを挿入し、人差し指ｆ２を連結部１８の棒状部１８ａの下面に接触させ、親指ｆ１を第１棒状部１２の左側面側の側面に接触するようにして、柄部１０を支持する。その際、全ての指に力を入れて握ってもよいが、強く握らなくても、人差し指ｆ２により連結部１８の棒状部１８ａの下面を支持し、親指ｆ１で第１棒状部１２の左側面側を支持しているので、全ての指で軽く握る程度で柄部１０を手で安定して支持することができる。つまり、親指ｆ１で第１棒状部１２の側面を押さえることにより柄部１０が傾こうとする力を連結部１８を支える人差し指ｆ２で支えるので、残りの３つの指（中指ｆ３と薬指ｆ４と小指ｆ５）で第１棒状部１２を軽く握って柄部１０全体がぐらつかないようにするのみで柄部１０を支持することができる。また、人差し指ｆ２で連結部１８の下面を支持しているので、軽く握っても柄部１０が手から落下することがない。
【００４３】
一方、従来の傘の場合には、連結部１８が設けられていないので、柄部をしっかり握らないと当然柄部が手から落下してしまう。
【００４４】
また、傘５の柄部１０を被係止部材６０（図９における被係止部材６０は、テーブルの例である）に係止する場合には、図９に示すように、連結部１８が被係止部材６０の上面に接して柄部１０が係止するが、連結部１８が接するので、柄部１０の被係止部材６０に係止する位置から石突き４０までの長さを従来の傘に比べて短くすることができ、テーブルや机に容易に係止することができる。つまり、本実施例の傘５において、柄部１０の被係止部材６０に係止する位置から石突き４０までの長さは、図１に示す長さＪであるのに対して、従来における傘は、図１０に示すように、少なくとも、本実施例の傘５における第２棒状部１６と連結部１８がない構成であり、柄部１１０の被係止部材６０に係止する位置から石突きまでの長さは、湾曲部１１４の端部（被係止部材６０に係止する位置）から石突きまでの長さとなってしまって、該長さＪよりも長くなり、結果として、従来の傘では、被係止部材６０の上面の高さが低いと石突きが床面に触れてしまって傘を柄部により係止できなくなってしまうのである。なお、テーブルや机の上面から設置面までの長さは通常概ね７０ｃｍ程度であるが、本実施例の傘５における長さＪ（図１参照）が６３〜６５ｃｍに形成されているので、傘５を設置面に石突き４０が接触することなくテーブルや机に係止させることができる。
【００４５】
また、傘５を被係止部材６０に係止するに際して、連結部１８の棒状部１８ａが第１棒状部１２に対して傾斜して形成されているので、傘５の先端（石突き４０側の先端）が被係止部材６０側に近接して傘５が図９に示すように垂直方向に対して多少傾斜した場合でも、連結部１８の棒状部１８ａの下面において第１棒状部１２側が第１棒状部１２側と反対側よりも高くなる状態（つまり、図９において、棒状部１８ａの下面が水平方向に対して左上から右下に傾斜した状態）を維持して、柄部１０を被係止部材６０の上面にしっかり係止させておくことができる。一方、連結部１８の棒状部１８ａが第１棒状部１２に対して直角に形成されている場合には、傘５が鉛直方向に対して傾斜した場合には、連結部１８の棒状部１８ａの下面において第１棒状部１２側が第１棒状部１２側と反対側よりも低くなる状態（つまり、棒状部１８ａの下面が図９において水平方向に対して右上から左下に傾斜した状態）となってしまい、柄部１０の連結部１８の棒状部１８ａの下面が被係止部材６０の上面からずり落ちてしまう。
【００４６】
なお、第１棒状部１２の上端部分と棒状部１８ａがなす角度α（図４参照）が７５〜８５度（好適には、８０度）となっているので、柄部１０を被係止部材６０の上面にしっかり係止させておくことができるとともに、傘５を差す際に、人差し指で棒状部１８ａを支持することができ、傘を安定して差すことができる。つまり、角度αが小さく、例えば、７５度よりも小さいと、傘５を差す際に、人差し指で棒状部１８ａを支持しにくくなり、一方、角度αが大きく、例えば、８５度よりも大きくなると、柄部１０を被係止部材６０の上面にしっかり係止させておくことができないおそれがある（つまり、係止させた傘５が鉛直方向に対して傾くと、被係止部材からずり落ちてしまう）が、本実施例の場合には、そのような問題がない。
【００４７】
また、柄部１０は、第１棒状部１２の上端部分を除いて全体に閉ループ状に形成されているので、一部が飛び出た形成となっておらず、安全性を得ることができる。つまり、仮に、柄部１０において第２棒状部１６が設けられない場合には、湾曲部１４の端部や連結部１８の端部が突出した形状となってしまい、それらの端部が危険となる可能性があるが、本実施例の柄部１０においては、そのような危険性はない。
【符号の説明】
【００４８】
５  傘
１０  柄部
１２  第１棒状部
１４  湾曲部（第１連結部）
１６  第２棒状部
１６ａ  四角柱状部
１６ｂ、１６ｃ  円柱状部
１８  連結部（第２連結部）
１８ａ  棒状部（第３棒状部）
１８ｂ  湾曲部
２０  突出部
２０ａ  挿通穴
３０  軸棒
４０  石突き
５０  生地
【図１】
0003154775.tif 000003
【図２】
0003154775.tif 000004
【図３】
0003154775.tif 000005
【図４】
0003154775.tif 000006
【図５】
0003154775.tif 000007
【図６】
0003154775.tif 000008
【図７】
0003154775.tif 000009
【図８】
0003154775.tif 000010
【図９】
0003154775.tif 000011
【図１０】
0003154775.tif 000012